(57)【要約】【課題】複数のメーラがインストールされた場合にユーザが所望のメーラを簡便に利用することができる携帯端末装置及びメーラ起動方法を提供すること。【解決手段】本発明に係る携帯端末１は、少なくとも２つのメーラ１〜３と、メーラＩＤを含む受信メールを受信する通信制御部１２と、前記メーラＩＤに対応するメーラを特定し、特定されたメーラを起動するメーラ制御部１４と、を具備することを特徴とする。これにより、複数のメーラがインストールされた場合にユーザが所望のメーラを簡便に利用することができる。【選択図】図１
2009301253.tif 000002
【特許請求の範囲】
【請求項１】
少なくとも２つのメーラと、メーラ識別情報を含む受信メールを受信する通信制御手段と、前記メーラ識別情報に対応するメーラを特定し、特定されたメーラを起動するメーラ制御手段と、を具備することを特徴とする携帯端末装置。
【請求項２】
前記受信メールを開封したときに、前記メーラ制御手段が前記メーラ識別情報に対応するメーラを起動することを特徴とする請求項１記載の携帯端末装置。
【請求項３】
前記メーラ識別情報と前記メーラとを関連付けるテーブルを備えたことを特徴とする請求項１又は請求項２記載の携帯端末装置。
【請求項４】
前記メーラ識別情報に対応するメーラがない場合に、前記メーラ制御手段が、デフォルトのメーラを起動することを特徴とする請求項１から請求項３のいずれかに記載の携帯端末装置。
【請求項５】
メーラ識別情報を含む受信メールの前記メーラ識別情報を用いて、少なくとも２つのメーラから前記メーラ識別情報に対応するメーラを特定する工程と、特定されたメーラを起動する工程と、を具備することを特徴とするメーラ起動方法。
【請求項６】
前記受信メールを開封したときに、前記メーラ識別情報に対応するメーラを起動することを特徴とする請求項５記載のメーラ起動方法。
【請求項７】
前記メーラ識別情報に対応するメーラがない場合に、デフォルトのメーラを起動することを特徴とする請求項５又は請求項６記載のメーラ起動方法。
【発明の詳細な説明】
【技術分野】
【０００１】
本発明は、携帯端末装置及びメーラ起動方法に関する。
【背景技術】
【０００２】
近年、携帯電話などの携帯端末装置で電子メールの送受信を行うことが一般的となっている。電子メールの送受信を行うことが可能な携帯端末装置においては、電子メールを扱うためのソフトウェアであるメーラがネイティブソフトウェアとしてインストールされている。このメーラが携帯端末装置に搭載されていることにより、携帯端末装置において電子メールの送受信を行うことができる（特許文献１  従来技術）。
【特許文献１】特開２００４−２９５２３９号公報
【発明の開示】
【発明が解決しようとする課題】
【０００３】
現在では、電子メールに種々のファイルを添付して送受信することが可能になってきており、大容量のファイルを添付する場合もある。また、パーソナルコンピュータで利用されている種々のメーラを使いたいという要求もあり、ユーザが所望の電子メールソフトウェアをインストールすることも考えられる。
【０００４】
しかしながら、現在の携帯端末装置においては、このように複数のメーラがインストールされた場合にユーザが用途に応じてメーラを使い分けることが想定されておらず、そのために仕組みが確立されていないのが現状である。
【０００５】
本発明はかかる点に鑑みてなされたものであり、複数のメーラがインストールされた場合にユーザが所望のメーラを簡便に利用することができる携帯端末装置及びメーラ起動方法を提供することを目的とする。
【課題を解決するための手段】
【０００６】
本発明の携帯端末装置は、少なくとも２つのメーラと、メーラ識別情報を含む受信メールを受信する通信制御手段と、前記メーラ識別情報に対応するメーラを特定し、特定されたメーラを起動するメーラ制御手段と、を具備することを特徴とする。
【０００７】
この構成によれば、受信メールに含まれるメーラ識別情報に対応するメーラを特定し、特定されたメーラを起動することができるので、複数のメーラがインストールされた場合にユーザが用途に応じてメーラを使い分けることが可能となる。
【０００８】
本発明の携帯端末装置においては、前記受信メールを開封したときに、前記メーラ制御手段が前記メーラ識別情報に対応するメーラを起動することが好ましい。
【０００９】
本発明の携帯端末装置においては、前記メーラ識別情報と前記メーラとを関連付けるテーブルを備えたことが好ましい。
【００１０】
本発明の携帯端末装置においては、前記メーラ識別情報に対応するメーラがない場合に、前記メーラ制御手段が、デフォルトのメーラを起動することが好ましい。
【００１１】
本発明のメーラ起動方法は、メーラ識別情報を含む受信メールの前記メーラ識別情報を用いて、少なくとも２つのメーラから前記メーラ識別情報に対応するメーラを特定する工程と、特定されたメーラを起動する工程と、を具備することを特徴とする。
【００１２】
この方法によれば、受信メールに含まれるメーラ識別情報に対応するメーラを特定し、特定されたメーラを起動することができるので、複数のメーラがインストールされた場合にユーザが用途に応じてメーラを使い分けることが可能となる。
【００１３】
本発明のメーラ起動方法においては、前記受信メールを開封したときに、前記メーラ識別情報に対応するメーラを起動することが好ましい。
【００１４】
本発明のメーラ起動方法においては、前記メーラ識別情報に対応するメーラがない場合に、デフォルトのメーラを起動することが好ましい。
【発明の効果】
【００１５】
本発明の携帯端末装置は、少なくとも２つのメーラと、メーラ識別情報を含む受信メールを受信する通信制御手段と、前記メーラ識別情報に対応するメーラを特定し、特定されたメーラを起動するメーラ制御手段と、を具備するので、複数のメーラがインストールされた場合にユーザが所望のメーラを簡便に利用することができる。
【発明を実施するための最良の形態】
【００１６】
以下、本発明の実施の形態について、添付図面を参照して詳細に説明する。
図１は、本発明の実施の形態に係る携帯端末装置の概略構成を示す図である。図１に示す携帯端末１は、装置全体を制御する制御部１１と、パケット網やインターネットを介して他の携帯端末装置や、Ｗｅｂサーバ、他のサーバとの間で通信を行う通信制御部１２と、種々のデータや情報を表示する表示部１３と、メーラ識別情報に対応するメーラを特定し、特定したメーラを起動するメーラ制御部１４と、メーラ１〜３を格納する格納部とを含む。なお、本実施の形態においては、携帯端末１にメーラが３つ格納されている場合について説明しているが、本発明はこれに限定されず、メーラが２つ又は４つ以上格納されている場合にも適用することができる。
【００１７】
なお、携帯端末１は、オペレーティングシステム（移動機ＯＳ）を有しており、移動機ＯＳ上でブラウザ機能、ビューワ機能、ファイルマネジメント機能、ＪＡＭ（Java（登録商標） Application Manager）その他の機能が動作する。また、携帯端末１は、パケット網を介して他の携帯端末と通信を行うことができる。
【００１８】
制御部１１は、装置全体の制御を行う。通信制御部１２は、他の携帯端末やＷｅｂサーバ、他のサーバとの間で通信を行う。例えば、通信制御部１２は、他の携帯端末やパーソナルコンピュータに対してメーラ識別情報を含むメールを送受信する。表示部１３は、メーラが起動したときにメール一覧や入力画面を表示したり、その他のデータや情報を表示する。
【００１９】
メーラ制御部１４は、メーラ識別情報に対応するメーラを特定し、その特定されたメーラを起動する。本発明に係る携帯端末装置を利用したシステムにおいては、電子メールには、その電子メールを作成したメーラを識別するメーラ識別情報（メーラＩＤ）が付与されており、メーラ制御部１４は、メーラＩＤを識別して、電子メールを作成したメーラを特定する。例えば、メーラ制御部１４は、図２に示すようなメーラＩＤ（あるいはヘッダ）とメーラ（あるいはヘッダに含まれるアプリケーション名）とを関連付けるテーブルを持っており、このテーブルを参照することによりメーラＩＤに対応するメーラを特定する。図２に示すテーブルにおいては、メーラＩＤ１に対応するメーラはメーラＸであり、メーラＩＤ２に対応するメーラはメーラＹである。なお、図２に示すテーブルの対応項目などについては一例であり、これに限定されない。
【００２０】
また、本発明に係る携帯端末装置を利用したシステムにおいては、電子メールには、メーラＩＤの識別により特定されたメーラの起動設定がなされた拡張ヘッダ（電子メールに付与される基本ヘッダ以外のヘッダ）が付与されており、メーラ制御部１４は、メーラＩＤを識別してメーラが特定された際に、特定されたメーラを起動する。なお、メーラ制御部１４における動作は、オペレーションシステム上で動作する特定のメーラ制御アプリケーションにより、メーラＩＤや拡張ヘッダを読み込むことで行われる。
【００２１】
メーラ１〜３としては、例えば、Ｊａｖａ（登録商標）プログラミング言語を用いて作成されたＪａｖａ（登録商標）メーラなどが挙げられる。大容量のファイルを添付することが可能であるメーラや、かわいらしい表示を含むメーラ（例えば、ポストペットなど）などの複数のメーラを携帯端末１に搭載しておくことにより、用途に応じて適宜メーラを選択することが可能となる。また、メーラ１〜３は、携帯端末１に予め搭載されたものだけではなく、携帯端末１にダウンロードしたものも含む。
【００２２】
このような構成の携帯端末１においてメーラを起動する場合、メーラ識別情報を含む受信メールのメーラＩＤを用いて、少なくとも２つのメーラからメーラＩＤに対応するメーラを特定し、特定されたメーラを起動する。例えば、受信メールを開封したときを契機に、メーラＩＤに対応するメーラを起動する。なお、メーラの起動については、電子メールに付与された、特定メーラの起動設定がなされた拡張ヘッダに基づいて行うことが好ましい。これらの一連の動作は、携帯端末１に搭載されたメーラ制御アプリケーションにより行われる。
【００２３】
メーラＩＤに対応するメーラを携帯端末１が搭載していれば、上記のようにメーラＩＤに対応するメーラを起動するが、メーラＩＤに対応するメーラを携帯端末１が搭載していなければ、メーラ制御部１４は、前記拡張ヘッダを無視して、携帯端末１にデフォルトで設定されているメーラを起動する。
【００２４】
このように、本実施の形態に係るメーラ起動によれば、受信メールに含まれるメーラ識別情報に対応するメーラを特定し、特定されたメーラを起動することができるので、複数のメーラがインストールされた場合にユーザが用途に応じてメーラを使い分けることが可能となる。
【００２５】
なお、複数のメーラのうちどのメーラを起動しても、過去に受信又は送信したメールを全て見られるように、ファイルマネジメント機能により、メールそのもののデータを共通的に制御している。
【００２６】
次に、上記構成を有する携帯端末１を用いたメール起動方法について説明する。図３及び図４は、本発明の実施の形態に係るメーラ起動方法の手順を示すフロー図であり、図３は送信側の手順を示し、図４は受信側の手順を示す。
【００２７】
まず、電子メールを送信する携帯端末においては、携帯端末１に搭載されているメーラから特定のメーラを選択する（ＳＴ１）。そして、このメーラを起動して電子メールを作成する（ＳＴ２）。そして、作成した電子メールを送信先に送信する（ＳＴ３）。
【００２８】
このようにメーラを選択して電子メールを送信した場合においては、受信側の携帯端末１で電子メールを受信すると（ＳＴ１１）、携帯端末１に搭載されているメーラ制御アプリケーションが起動し、電子メールに付与されているメーラＩＤを識別する（ＳＴ１２）。例えば、図２に示すテーブルを参照して電子メールに付与されているメーラＩＤに対応するメーラを特定する。なお、この場合、メール一覧において、図５に示すように、受信メール項目にメーラに対応するアイコン２１を表示させても良い。
【００２９】
ユーザが受信メール一覧から特定のメールを開封すると、メーラＩＤに対応するメーラがあるかどうかを判断し（ＳＴ１３）、メーラＩＤに対応するメーラが携帯端末１にある場合には、電子メールに付与されている拡張ヘッダに基づいて、メーラＩＤに対応するメーラを起動する（ＳＴ１４）。そして、表示画面にメール本文を表示する（ＳＴ１６）。一方、メーラＩＤに対応するメーラが携帯端末１にない場合には、基本ヘッダに基づいて、携帯端末１でデフォルトに設定されているメーラを起動する（ＳＴ１５）。そして、表示画面にメール本文を表示する（ＳＴ１６）。
【００３０】
なお、上述したような本システムにおける電子メール（メーラ識別情報を含む電子メール）を通常のパーソナルコンピュータ（ＰＣ）で受信した場合、メーラ識別情報やヘッダは単なる情報としてしか扱われないため、ＰＣ上での動作には影響を与えない。
【００３１】
本発明は上記実施の形態に限定されず、種々変更して実施することが可能である。例えば、本発明の範囲を逸脱しない限りにおいて、上記説明における処理部、処理手順、表示画面については適宜変更して実施することが可能である。その他、本発明の範囲を逸脱しないで適宜変更して実施することが可能である。
【図面の簡単な説明】
【００３２】
【図１】本発明の実施の形態に係る携帯端末装置の概略構成を示す図である。
【図２】図１に示す携帯端末装置におけるメーラ制御部のテーブルを示す図である。
【図３】本発明の実施の形態に係るメーラ起動方法の手順を示すフロー図である。
【図４】本発明の実施の形態に係るメーラ起動方法の手順を示すフロー図である。
【図５】本発明の実施の形態に係る携帯端末装置の表示画面を示す図である。
【符号の説明】
【００３３】
１  携帯端末
１１  制御部
１２  通信制御部
１３  表示部
１４  メーラ制御部
２１  アイコン
【図１】
2009301253.tif 000003
【図２】
2009301253.tif 000004
【図３】
2009301253.tif 000005
【図４】
2009301253.tif 000006
【図５】
2009301253.tif 000007